(57)【要約】  本発明はヘッドセットの技術分野に関し、ヘッドセットにおけるヘッドバンドと音響発生ユニットとの間の角度を調節するためのヘッドセット微調節構造において、前記ヘッドバンドの末端に連結される上コンポーネントと、前記音響発生ユニットに連結される下コンポーネントとを備え、前記下コンポーネントと前記上コンポーネントとは互にヒンジ連結され、前記上コンポーネントに位置制限段差が設けられ、前記下コンポーネントに位置制限部材が可動に連結され、前記位置制限部材には、前記位置制限段差に当接でき、前記上コンポーネントに対する前記下コンポーネントの角度を制限するための厚さの異なる複数の位置制限ブロックが設けられているヘッドセット微調節構造及びヘッドセットを開示した。本発明にかかるヘッドセット微調節構造は、異なる厚さの位置制限ブロックを選択して上コンポーネントと下コンポーネントとの間の角度を調節することにより、ヘッドバンドに対する音響発生ユニットの角度を調節する目的を達成でき、ヘッドセットの装用の快適度を改善する。【選択図】図１
2016533664.tif 000002
【特許請求の範囲】
【請求項１】
ヘッドセットにおけるヘッドバンドと音響発生ユニットとの間の角度を調節するためのヘッドセット微調節構造において、前記ヘッドバンドの末端に連結される上コンポーネントと、前記音響発生ユニットに連結される下コンポーネントとを備え、前記下コンポーネントと前記上コンポーネントとは互にヒンジ連結され、前記上コンポーネントに位置制限段差が設けられ、前記下コンポーネントに位置制限部材が可動に連結され、前記位置制限部材には、前記位置制限段差に当接でき、前記上コンポーネントに対する前記下コンポーネントの角度を制限するための厚さの異なる複数の位置制限ブロックが設けられていることを特徴とするヘッドセット微調節構造。
【請求項２】
前記位置制限部材は前記下コンポーネントに挿設され軸方向に回転可能な回転部材であり、前記回転部材の外縁に複数の前記位置制限ブロックが囲むように設けられていることを特徴とする、請求項１に記載のヘッドセット微調節構造。
【請求項３】
前記上コンポーネントと前記下コンポーネントとをヒンジ連結するための回転軸をさらに備え、前記下コンポーネントの上端に連結切欠きが設けられ、前記連結切欠きの両端に第一軸穴１２２１が対応して開口され、前記上コンポーネントの下端には前記連結切欠きに挿入できるバンプが設けられ、前記バンプに第二軸穴が横方向に開口され、前記位置制限段差は前記バンプに開口されていることを特徴とする、請求項２に記載のヘッドセット微調節構造。
【請求項４】
前記バンプの前記位置制限段差が開口される部位にはさらに、前記位置制限ブロックが回転する際に前記バンプに干渉するのを防止する回転凹状キャビティが開口されていることを特徴とする、請求項３に記載のヘッドセット微調節構造。
【請求項５】
前記バンプにはさらに前記位置制限穴に干渉するのを防止する位置制限スライド溝が開口され、前記位置制限スライド溝の下端は前記回転凹状キャビティに連通していることを特徴とする、請求項４に記載のヘッドセット微調節構造。
【請求項６】
前記下コンポーネントは前記回転部材の回転角度を調節するためのつまみをさらに備え、前記つまみの一端は前記下コンポーネント内に伸び込んで前記回転部材に連結され、他端はコンポーネントから外に伸びていることを特徴とする、請求項２から５のいずれか１項に記載のヘッドセット微調節構造。
【請求項７】
前記つまみの外側に滑り止め凹凸模様が刻み込まれ、その外端面には位置制限ブロックの位置を観察しやすくする目盛りが設けられていることを特徴とする、請求項６に記載のヘッドセット微調節構造。
【請求項８】
前記回転部材の回転ダンピングを増大するためのゴムリングをさらに備え、前記ゴムリングは前記下コンポーネントに固定され、前記回転部材の末端は前記ゴムリングの内部に挿入されていることを特徴とする、請求項１から５のいずれか１項に記載のヘッドセット微調節構造。
【請求項９】
前記位置制限ブロックは六つあり、前記回転部材の外縁に沿って均一に分布されていることを特徴とする、請求項２から５のいずれか１項に記載のヘッドセット微調節構造。
【請求項１０】
ヘッドバンドと、二つの音響発生ユニットとを備え、請求項１から９のいずれか１項に記載のヘッドセット微調節構造をさらに備えることを特徴とするヘッドセット。
【請求項１１】
各前記音響発生ユニットと前記ヘッドバンドとの連結部位のいずれにも前記ヘッドセット微調節構造が設けられていることを特徴とする、請求項１０に記載のヘッドセット。
【発明の詳細な説明】
【技術分野】
【０００１】
本発明はヘッドセットの技術分野に関し、特にヘッドセット微調節構造及びヘッドセットに関する。
【背景技術】
【０００２】
ヘッドセットとイヤホンはよく使われる音響設備であるが、イヤホンに比べて、ヘッドセットは体積が大きく、一般に、弾性ヘッドバンドで連結されている二つの大きな音響発生ユニットを備えており、使用の際に、弾性ヘッドバンドにより音響発生ユニットを人の耳に密着させる。ヘッドセットの一体構造の特殊性から、異なる人による異なる頭型や耳の位置に対するフィット性に劣り、音響発生ユニットの位置を調節可能な調節構造によりフィット性を高める必要がある。
【０００３】
従来技術によるヘッドセットに採用される調節構造は、ヘッドバンドの長さ又はヘッドバンドと音響発生ユニットとの連結部位の長さを調節できるという機能を備え、前者は人の頭のてっぺんの異なる形状にフィットでき、後者は耳の異なる位置にフィットできるが、いずれも発生ユニット自体の角度を調節できず、装用のフィット性に影響している。また、ヘッドセットは包み式音響発生を採用している、即ち、音響発生ユニットはスポンジ等の軟質構造で耳殻を包んで密閉空間を形成して音響を伝達しているため、発生ユニットの角度が不適切になると、この密閉空間は不完全な密閉になり、音響漏れ等の問題が発生してしまう可能性もある。
【０００４】
特に音質及び装用の快適性に対する要求が高いハイエンドのヘッドセット分野では、従来技術による調節構造は利用者の要求を満たすことができない。
【発明の概要】
【発明が解決しようとする課題】
【０００５】
本発明はヘッドセット微調節構造を提供することを目的とし、従来技術におけるヘッドセットの装用の快適性に劣り、音響漏れが発生する可能性があるという問題を解決することを旨とする。
【課題を解決するための手段】
【０００６】
本発明は、ヘッドセットにおけるヘッドバンドと音響発生ユニットとの間の角度を調節するためのヘッドセット微調節構造において、前記ヘッドバンドの末端に連結される上コンポーネントと、前記音響発生ユニットに連結される下コンポーネントとを備え、前記下コンポーネントと前記上コンポーネントとは互にヒンジ連結され、前記上コンポーネントに位置制限段差が設けられ、前記下コンポーネントに位置制限部材が可動に連結され、前記位置制限部材には、前記位置制限段差に当接でき、前記上コンポーネントに対する前記下コンポーネントの角度を制限するための厚さの異なる複数の位置制限ブロックが設けられているヘッドセット微調節構造により実現される。
【０００７】
さらに、前記位置制限部材は前記下コンポーネントに挿設され軸方向に回転可能な回転部材であり、前記回転部材の外縁に複数の前記位置制限ブロックが囲むように設けられている。
【０００８】
さらに、前記上コンポーネントと前記下コンポーネントとをヒンジ連結するための回転軸をさらに備え、前記下コンポーネントの上端に連結切欠きが設けられ、前記連結切欠きの両端に第一軸穴１２２１が対応して開口され、前記上コンポーネントの下端には前記連結切欠きに挿入できるバンプが設けられ、前記バンプに第二軸穴が横方向に開口され、前記位置制限段差は前記バンプに開口されている。
【０００９】
さらに、前記バンプの前記位置制限段差が開口される部位にはさらに、前記位置制限ブロックが回転する際に前記バンプに干渉するのを防止する回転凹状キャビティが開口されている。
【００１０】
さらに、前記バンプにはさらに前記位置制限穴に干渉するのを防止する位置制限スライド溝が開口され、前記位置制限スライド溝の下端は前記回転凹状キャビティに連通している。
【００１１】
さらに、前記下コンポーネントは前記回転部材の回転角度を調節するためのつまみをさらに備え、前記つまみの一端は前記下コンポーネント内に伸び込んで前記回転部材に連結され、他端はコンポーネントから外に伸びている。
【００１２】
さらに、前記つまみの外側に滑り止め凹凸模様が刻み込まれ、その外端面には位置制限ブロックの位置を観察しやすくする目盛りが設けられている。
【００１３】
さらに、前記回転部材の回転ダンピングを増大するためのゴムリングをさらに備え、前記ゴムリングは前記下コンポーネントに固定され、前記回転部材の末端は前記ゴムリングの内部に挿入されている。
【００１４】
さらに、前記位置制限ブロックは六つあり、前記回転部材の外縁に沿って均一に分布されている。
【００１５】
従来技術に比べて、本発明にかかるヘッドセット微調節構造は、異なる厚さの位置制限ブロックを選択して下コンポーネントと上コンポーネントとの間の限界角度を変えることにより、ヘッドバンドと音響発生ユニットとの間の角度を調節する目的を達成でき、ヘッドセットの装用の快適度を改善し、音響漏れを回避する。
【００１６】
本発明はさらに、ヘッドバンドと、二つの音響発生ユニットとを備えるヘッドセットにおいて、各音響発生ユニットとヘッドバンドとの連結部位に上記のヘッドセット微調節構造が設けられているヘッドセットを提供する。
【００１７】
さらに、各前記音響発生ユニットと前記ヘッドバンドとの連結部位のいずれにも前記ヘッドセット微調節構造が設けられている。
【発明の効果】
【００１８】
本発明にかかるヘッドセットはヘッドセット微調節構造が設けられており、音響発生ユニットの角度を微調節でき、装用の快適度を改善し、音響漏れを回避する。
【図面の簡単な説明】
【００１９】
【図１】本発明の実施例によるヘッドセット微調節構造を備えるヘッドセットの構造模式図である。
【図２】本発明の実施例によるヘッドセット微調節構造の分解構造模式図である。
【図３】本発明の実施例によるヘッドセット微調節構造における回転部材の構造模式図である。
【図４】本発明の実施例によるヘッドセット微調節構造における上コンポーネントの構造模式図である。
【発明を実施するための形態】
【００２０】
本発明の目的、技術的解決手段及び利点をより明らかにするために、以下、図面及び実施例に合わせて本発明をより詳細に説明する。ここで説明される具体的な実施例は本発明を解釈するためのものに過ぎず、本発明を限定するためのものではないことを理解すべきである。
【００２１】
以下、具体的な図面に合わせて本実施例の実現について詳細に説明する。
【００２２】
図１〜図４に示されるように、ヘッドセット微調節構造１はヘッドバンド２と音響発生ユニット３との間に取り付けられて連結されており、互にヒンジ連結される上コンポーネント１１と下コンポーネント１２とを備え、そのうち、上コンポーネント１１はヘッドバンド２の末端に連結され、下コンポーネント１２は音響発生ユニット３に連結されている。上コンポーネント１１に位置制限段差１１２が設けられ（図４に示されるとおり）、下コンポーネント１２に位置制限部材１２１が可動に連結され、位置制限部材１２１には複数の軸方向厚さの異なる位置制限ブロック１２１１が設けられており、下コンポーネント１２と上コンポーネント１１は最大限界角度まで回転した場合、位置制限ブロック１２１１は位置制限段差１１２に当接して角度を制限することができる。
【００２３】
音響発生ユニット３を微調節する必要がある場合、ヘッドセット２を頭に装用し、広げられたヘッドバンド２から弾性力が提供されているため、二つの音響発生ユニット３が二つの耳に密着し、上コンポーネント１１と下コンポーネント１２とはヘッドバンド２からの内への弾力及び頭からの反作用力を同時に受けて限界角度まで回転し、位置制限ブロック１２１１の異なる軸方向厚さによって、この限界角度を異なるものに制限して、装用されたヘッドセットにおける音響発生ユニット３自体の角度を実現でき、即ち、その微調節を実現した。
【００２４】
本実施例にかかるヘッドセット微調節構造１は異なる頭型に応じて、音響発生ユニット３の角度を正確に調整し、より一層耳にフィットさせることができ、快適度を高めただけでなく、音響発生ユニット３と耳との間に密閉空間を形成しやすくなり、音響漏れの発生を回避した。
【００２５】
位置制限部材１２１の設置は複数種あり、例えば、下コンポーネント１２に摺動可能に取り付けられる片状構造として、その外側面に位置制限ブロック１２１１を並列して設けてもよいが、本実施例に採用される方式としては、図１に示されるように、位置制限部材１２１は回転部材１２１であり、下コンポーネント１２に挿設され軸方向に回転でき、回転部材１２１の外縁に複数の位置制限ブロック１２１１が囲むように設けられている。回転部材１２１を回転させれば、位置制限ブロック１２１１の位置を変え、異なる位置制限ブロック１２１１を選択して位置制限段差１１２に当接させることができる。
【００２６】
図３に示されるように、位置制限ブロック１２１１の配列方式は複数種あるが、本実施例では、位置制限ブロック１２１１は六つあり、回転部材１２１の外縁に沿って均一に分布されている。位置制限ブロック１２１１の分布方式は複数種あり、例えば、時計回り又は反時計回りに厚さが逓増してもよく、あるいは、対向する位置に厚さの最も低い基準位置制限ブロックを二つ設け、一方の基準位置制限ブロックの両側に低い位置制限ブロックを二つ設け、他方の基準位置制限ブロックの両側に高い位置制限ブロックを二つ設け、利用者が一つの基準位置制限ブロックの位置を選択してから、左右に回転してより適切な高さを選択するようにしてもよい。
【００２７】
図２に示されるように、操作を容易にするために、下コンポーネント１２はつまみ１２１２をさらに備え、前記つまみ１２１２の一端は下コンポーネント１２の内部に伸び込んで回転部材１２１に連結され、他端は下コンポーネント１２から外に伸びており、人がつまみ１２１２を操作して回転し、回転部材１２１を動かして回転させることができる。
【００２８】
つまみ１２１２の外側に滑り止め凹凸模様が刻み込まれているため、しっかりとつまんでから回転しやすくなり、また、その外端面には位置制限ブロック１２１１の位置を観察しやすくする目盛りが設けられており、目盛りからこの時に選択された位置制限ブロック１２１１を了解でき、そして実際の装用体験に応じて回転して、より厚い又はより薄い位置制限ブロック１２１１を選択することができる。
【００２９】
下コンポーネント１２内にはさらにゴムリング１２１２が固定され、回転部材１２１の末端はゴムリング１２１２の内部に挿入されており、ゴムリング１２１２によって、回転部材１２１の回転ダンピングを増大して一定の緩衝作用を提供できるとともに、回転時の手の感受を変えることで、小さすぎる回転抵抗により過度に回転しやすくなるという問題を回避する。
【００３０】
上コンポーネント１１と下コンポーネント１２のヒンジ連結方式は複数種あり、例えば、突出した円柱と凹んだ円柱キャビティとによる組合せを設けてもよいが、本実施例では回転軸（図示せず）により両者をヒンジ連結することになり、その構造としては、図２に示されるように、下コンポーネント１２の上端に連結切欠き１２２が設けられ、連結切欠き１２２の両端に第一軸穴１２２１が対応して開口され、上コンポーネント１１の下端には連結切欠き１２２に挿入できるバンプ１１１が設けられ、バンプ１１１に第二軸穴１１１１が横方向に開口され、回転軸は第一軸穴１２２１及び第二軸穴１１１１内に挿設され、下コンポーネント１２は回転軸の周りに上コンポーネント１１に対して回転することができる。位置制限段差１１２はバンプ１１１に開口されている。
【００３１】
図４に示されるように、バンプ１１１の位置制限段差１１２が開口される部位にはさらに回転凹状キャビティ１１４が開口されており、回転部材１２１により位置制限ブロック１２１１を動かして回転させる場合、位置制限ブロック１２１１はバンプ１１１に干渉することなく回転凹状キャビティ１１４内を回転する。
【００３２】
バンプ１１１にはさらに位置制限スライド溝１１３が開口されており、位置制限スライド溝１１３の下端は回転凹状キャビティ１１４に連通している。装用されていない場合、下コンポーネント１２は上コンポーネント１１に対して大角度で回転でき、この時、位置制限ブロック１２１１はバンプ１１１に干渉することなく位置制限スライド溝１１３内を摺動することができる。
【００３３】
図１に示されるように、本実施例はさらに、ヘッドバンド２と、上記のヘッドセット微調節構造１と、二つの音響発生ユニット３とを備えるヘッドセットを提供し、本実施例にかかるヘッドセットは、その音響発生ユニット３はヘッドセット微調節構造１によりヘッドバンド２に対する角度を調節し、より精細に協働して実際の装用体験を変えることができ、装用の快適性を高めただけでなく、音響漏れが発生するという問題をも回避した。
【００３４】
実際の設計においては、一側のみにヘッドセット微調節構造１を設けて、ヘッドバンド２自体の弾性により左右側の音響発生ユニット３の角度位置を平衡させるようにしてもよく、微調節を行うことができるとともに、コストを節約した。本実施例では、各音響発生ユニット３とヘッドバンド２との連結部位のいずれにもヘッドセット微調節構造１が設けられている。両側の二つのヘッドセット微調節構造１は同期又は非同期に調整されてもよく、実際の装用体験をより精細に改善する。
【００３５】
上記は本発明の好ましい実施例に過ぎず、本発明を制限するためのものではなく、本発明の精神及び原則においてなされたあらゆる変更、等価取替及び改良等は、本発明の保護範囲に含まれるはずである。
【図１】
2016533664.tif 000003
【図２】
2016533664.tif 000004
【図３】
2016533664.tif 000005
【図４】
2016533664.tif 000006
【国際調査報告】
2016533664.tif 000007
2016533664.tif 000008
2016533664.tif 000009
2016533664.tif 000010